(57)【要約】【課題】本発明は、給水加熱装置を稼動させ、制御装置により指令された目標蓄熱量になるまで給水を加熱して、貯湯タンク内に貯めて置くことができる貯湯式給湯方法および貯湯式給湯装置に関するものである。【解決手段】貯湯タンク内の温度は、制御手段によって、監視されている。前記制御手段は、前記貯湯タンク内の温度が所定温度以下であると判断した場合、前記給水加熱装置からの湯をバイパス三方弁を介して、直接、給水と混合して、所望の温度の湯として風呂浴槽への出湯または給湯出湯として使用する。前記制御手段は、前記貯湯タンク内の温度が所定温度以上であると判断した場合、前記給水加熱装置からの湯をバイパス三方弁を介して前記貯湯タンク内に出力し、前記貯湯タンク内の湯を配管を介して風呂浴槽への出湯または給湯出湯として使用する。【選択図】図１
2008008563.tif 000002
【特許請求の範囲】
【請求項１】
給水加熱装置を稼働させ、制御手段により指令された目標蓄熱量になるまで給水を加熱して、貯湯タンク内に湯を貯めて置き、前記貯湯タンク内の湯または前記給水加熱装置で加熱された湯と給水とを混合し、風呂浴槽への出湯、または給湯出湯とする貯湯式給湯方法において、
前記貯湯タンク内の温度を監視し、
前記貯湯タンク内の温度が所定温度以下の場合、給水加熱装置からの湯をバイパス三方弁を介して、所望の温度の湯として前記風呂浴槽への出湯または給湯出湯として使用することを特徴とする貯湯式給湯方法。
【請求項２】
給水加熱装置を稼働させ、制御手段により指令された目標蓄熱量になるまで給水を加熱して、貯湯タンク内に湯を貯めて置き、前記貯湯タンク内の湯または前記給水加熱装置で加熱された湯と給水とを混合し、風呂浴槽への出湯、または給湯出湯とする貯湯式給湯装置において、
前記貯湯タンク内における湯の温度を検出する温度検出手段と、
前記給水加熱装置の湯を前記貯湯タンクと風呂浴槽への出湯または給湯出湯とに振り分けるバイパス三方弁と、
前記温度検出手段により前記貯湯タンク内の湯の温度が所定温度以下を検出した場合、給水加熱装置からの湯をバイパス三方弁を介して、前記風呂浴槽への出湯、または給湯出湯として使用できるように制御する制御手段と、
から少なくとも構成されていることを特徴とする貯湯式給湯装置。
【請求項３】
前記制御手段は、制御する前記所定の温度を風呂浴槽への出湯、または給湯出湯の設定温度によって決定することを特徴とする請求項２に記載された貯湯式給湯装置。
【請求項４】
前記制御手段は、前記バイパス三方弁の制御を貯湯タンク内の蓄熱量と、風呂浴槽への出湯および給湯出湯動作以外の運転に要する熱量との比較差により決定することを特徴とする請求項２または請求項３に記載された貯湯式給湯装置。
【請求項５】
前記制御手段は、前記バイパス三方弁を介して供給される前記給水加熱装置で加熱された湯に給水を混合する混合弁を制御して風呂浴槽への出湯、または給湯出湯とすることを特徴とする請求項２から請求項４のいずれか１項に記載された貯湯式給湯装置。
【発明の詳細な説明】
【技術分野】
【０００１】
本発明は、電力によってヒートポンプユニット等の給水加熱装置を稼動させ、制御装置により指令された目標蓄熱量になるまで給水を加熱して、貯湯タンク内に貯めて置くことができる貯湯式給湯方法および貯湯式給湯装置に関するものである。本発明は、特に、前記貯湯タンク内の高温の湯と給水を混合し、風呂浴槽への出湯、または給湯出湯として使用する機能を有する貯湯式給湯方法および貯湯式給湯装置に関するものである。
【背景技術】
【０００２】
従来の貯湯式給湯装置は、たとえば、電力で稼動するヒートポンプユニットを用い、貯湯タンク内における下部の低温の湯、または水道からの給水を加熱し、高温の湯を前記貯湯タンク内の上部に貯えている。特に、前記貯湯式給湯装置は、前記貯湯タンク内の最下部の低温の湯を前記ヒートポンプユニットにより加熱し、高温の湯として前記貯湯タンク内の最上部に送ることで、温度の異なる水の比重差を利用し、前記貯湯タンク内の上部側に高温の湯を貯え、前記貯湯タンク内の下部側の水と混合しないようにしている。また、前記貯湯式給湯装置は、前記貯湯タンク内の湯を出力する場合（たとえば、蛇口等を開き、前記貯湯タンク外で湯を消費する場合）、前記貯湯タンクの最上部に接続した出湯配管から前記蛇口に給湯し、前記貯湯タンクの最下部に接続された給水配管から前記貯湯タンク内に水を補給するようになっている。
【０００３】
また、前記給水加熱装置におけるヒートポンプユニットは、商用電力が供給されるので、なるべく深夜電力を利用し、電力料金の安い深夜時間帯（現在の所、２３時から翌日７時まで）で蓄熱を行い、料金の高い昼間の時間帯において、極力蓄熱を行わないように、その日に使用する熱量を考慮して、当該深夜時間帯で蓄熱しておくように工夫されているものが多い。前記貯湯式給湯装置は、一般に、その日に使用する湯の蓄熱量を考慮して、深夜電力のみで、加熱するようになっている。
【０００４】
また、従来の貯湯式給湯装置は、蛇口、シャワー等から出湯する給湯動作以外に、使用者が設定した湯温度で、設定した湯量だけ風呂浴槽へ出湯する風呂湯張り運転、あるいは風呂浴槽から汲み上げるなどして、低下した湯量を補うための足し湯機能を有する。また、前記貯湯式給湯装置は、貯湯タンク内の高温の湯と、給水を混合して風呂浴槽への設定された温度の出湯とすることができる。前記貯湯式給湯装置は、たとえば、下記の公開公報に記載されている。
【特許文献１】特開２００５−１２７６５２号公報
【特許文献２】特開２００５−９８５６２号公報
【発明の開示】
【発明が解決しようとする課題】
【０００５】
しかし、前記貯湯式給湯装置は、貯湯タンク内に貯められた湯を、給湯動作をはじめ、浴槽への出湯動作、追い焚き動作等、全ての熱源として利用するので、長時間給湯出湯が継続した場合、風呂湯張り運転後に給湯出湯があった場合、あるいは、前記貯湯タンクの蓄熱量が少ない昼間の時間帯に追い焚き動作を行った場合等、前記貯湯タンクの熱源が不十分であり、風呂浴槽への出湯に必要な湯が不足して得られないことがある。このような場合、前記ヒートポンプユニットは、最大能力で稼動するが、前記貯湯タンクの容量が大きいため、即座に貯湯タンク内の湯を高温に維持することができない。
【０００６】
このような状況において、従来の貯湯式給湯装置は、貯湯タンク内に高温の湯が貯まるまで、風呂湯張り運転あるいは足し湯運転を待機状態とし、その旨を使用者に報知するといった対処がなされている。前記貯湯式給湯装置において、足し湯運転が待機状態である旨の報知を行わない場合、使用者は、設定した温度よりも低い出湯を利用することになる。
【０００７】
以上のような課題を解決するために、本発明は、あらゆる時間帯、あらゆる使用状況下であっても、蓄熱量不足による風呂浴槽への出湯動作あるいは給湯動作の不便さを解消し得る機能を備えた貯湯式給湯方法および貯湯式給湯装置を提供することを目的とする。
【課題を解決するための手段】
【０００８】
（第１発明）
第１発明の貯湯式給湯方法は、給水加熱装置を稼働させ、制御手段により指令された目標蓄熱量になるまで給水を加熱して、貯湯タンク内に湯を貯めて置き、前記貯湯タンク内の湯または前記給水加熱装置で加熱された湯と給水とを混合し、風呂浴槽への出湯、または給湯出湯とするものであり、前記貯湯タンク内の温度を監視し、前記貯湯タンク内の温度が所定温度以下の場合、給水加熱装置からの湯をバイパス三方弁を介して、所望の温度の湯として前記風呂浴槽への出湯または給湯出湯として使用することを特徴とする。
【０００９】
（第２発明）
第２発明の貯湯式給湯装置は、給水加熱装置を稼働させ、制御手段により指令された目標蓄熱量になるまで給水を加熱して、貯湯タンク内に湯を貯めて置き、前記貯湯タンク内の湯または前記給水加熱装置で加熱された湯と給水とを混合し、風呂浴槽への出湯、または給湯出湯とするものであり、前記貯湯タンク内における湯の温度を検出する温度検出手段と、前記給水加熱装置の湯を前記貯湯タンクと風呂浴槽への出湯または給湯出湯とに振り分けるバイパス三方弁と、前記温度検出手段により前記貯湯タンク内の湯の温度が所定温度以下を検出した場合、給水加熱装置からの湯をバイパス三方弁を介して、前記風呂浴槽への出湯、または給湯出湯として使用できるように制御する制御手段とから少なくとも構成されていることを特徴とする。
【００１０】
（第３発明）
第３発明の貯湯式給湯装置における制御手段は、制御する前記所定の温度を風呂浴槽への出湯、または給湯出湯の設定温度によって決定することを特徴とする。
【００１１】
（第４発明）
第４発明の貯湯式給湯装置における制御手段は、前記バイパス三方弁の制御を貯湯タンク内の蓄熱量と、風呂浴槽への出湯および給湯出湯動作以外の運転に要する熱量との比較差により決定することを特徴とする。
【００１２】
（第５発明）
第５発明の貯湯式給湯装置における制御手段は、前記バイパス三方弁を介して供給される前記給水加熱装置で加熱された湯に給水を混合する混合弁を制御して風呂浴槽への出湯、または給湯出湯とすることを特徴とする。
【発明の効果】
【００１３】
本発明によれば、風呂浴槽への出湯動作または給湯出湯動作時に貯湯タンク内に高温の湯が不足しているような状況が生じても、給水加熱装置により加熱された湯を直接、風呂浴槽への出湯、または給湯出湯として利用することで、湯張り運転動作待機、あるいは設定温度より低い温度の湯が出湯するといった使用者の不便さを解消することができる。
【００１４】
本発明によれば、給水加熱装置により加熱された湯を風呂浴槽への出湯または給湯出湯の湯として使用するか否かを、使用者が設定した出湯温度、貯湯タンク内の温度、熱量および出湯動作の使用状況に応じて決定することで、より使用者の目的に合致した温度の湯を出力することができる。
【発明を実施するための最良の形態】
【００１５】
（第１発明）
第１発明の貯湯式給湯方法は、給水加熱装置を稼働させ、制御手段により指令された目標蓄熱量になるまで給水を加熱して、貯湯タンク内に湯を貯めて置く。前記貯湯タンク内の湯または前記給水加熱装置で加熱された湯は、給水と混合されて風呂浴槽への出湯、または給湯出湯となる。前記貯湯タンク内の温度は、たとえば、制御手段によって、監視されている。前記制御手段は、前記貯湯タンク内の温度が所定温度以下であると判断した場合、前記給水加熱装置からの湯をバイパス三方弁を介して、直接、給水と混合して、所望の温度の湯として前記風呂浴槽への出湯または給湯出湯として使用する。
【００１６】
前記貯湯タンクの湯は、熱容量が大きくなるにしたがい、給水加熱装置から加熱された湯が供給されても、所望の湯の温度にするために時間がかかる。このような場合、本発明は、前記貯湯タンクの湯を使用することなく、給水加熱装置からの加熱された湯と給水とを混合させて所望の温度の出湯とすることができるため、貯湯タンク内の湯がどのような状態にあっても、使用者の所望の温度の湯とすることができる。
【００１７】
（第２発明）
第２発明の貯湯式給湯装置は、貯湯タンク内における湯の温度を検出する温度検出手段と、給水加熱装置の湯を風呂浴槽への出湯または給湯出湯とに振り分けるバイパス三方弁と、前記バイパス三方弁を制御する制御手段とから少なくとも構成されている。前記貯湯式給湯装置は、前記給水加熱装置を稼働させ、前記制御手段により指令された目標蓄熱量になるまで給水を加熱して、前記貯湯タンク内に湯を貯めて置き、前記貯湯タンク内の湯または前記給水加熱装置で加熱された湯と給水とを混合し、風呂浴槽への出湯、または給湯出湯とすることができる。前記温度検出手段は、たとえば、前記貯湯タンク内における最上部の湯の温度を検出する。
【００１８】
前記バイパス三方弁は、前記給水加熱装置の湯を前記貯湯タンクと風呂浴槽への出湯または給湯出湯とに振り分けることができる。前記制御手段は、前記温度検出手段により前記貯湯タンク内の最上部における湯の温度が所定温度以下を検出した場合、給水加熱装置からの湯をバイパス三方弁を介して、前記風呂浴槽への出湯、または給湯出湯として使用できるように制御する。前記貯湯式給湯装置は、稼働開始後で間もない時、あるいは多くの出湯を使用したような場合、前記給水加熱装置から直接、加熱された湯を給水と混合して使用することができるため、また、使用する温度を設定し、前記設定温度と前記貯湯タンク内の温度とを比較して前記給水加熱装置からの加熱された湯を使用するため、使用者の目的に合った制御を行うことができる。
【００１９】
（第３発明）
第３発明の貯湯式給湯装置は、前記制御手段によって制御する所定の温度を変えることができる。たとえば、貯湯式給湯装置は、設定温度が冬と夏とでは異なるので、風呂浴槽への出湯、または給湯出湯の設定温度によって所定の温度が決定される。すなわち、本発明は、設定温度が低い場合、所定温度も低く、設定温度が高い場合、所定温度も高くなるので、使用者のニーズに合った温度の湯が早く出力する。
【００２０】
（第４発明）
第４発明の貯湯式給湯装置は、制御手段によって、バイパス三方弁の制御を貯湯タンク内の蓄熱量と、風呂浴槽への出湯および給湯出湯動作以外の運転に要する熱量との比較差により決定している。すなわち、前記貯湯式給湯装置は、貯湯タンク内の蓄熱量以外に、各配管や弁等における熱の消費も考慮して、前記制御手段が制御して、早く所望の温度の出湯を得ることができる。
【００２１】
（第５発明）
第５発明の貯湯式給湯装置は、バイパス三方弁を介して供給される前記給水加熱装置で加熱された湯に給水を混合する混合弁を制御手段によって制御し、風呂浴槽への出湯、または給湯出湯を所望の温度の湯とすることができる。
【実施例】
【００２２】
図１は本発明の実施例である貯湯式給湯装置を説明するための概略構成図である。図１において、貯湯式給湯装置は、貯湯タンク１と、ヒートポンプユニット等からなる給水加熱装置２と、前記貯湯タンク１内の湯温および前記給水加熱装置２を制御する制御装置３と、風呂浴槽４と、蛇口等の出湯口７３とから少なくとも構成されている。前記貯湯タンク１は、ステンレス等の耐食性に優れた金属で作られており、外周部に図示されていない断熱材が配されて、高温の給湯用水を長時間にわたって保温可能である。また、前記貯湯タンク１は、縦長形状で、その底面に、たとえば、水道水ｗｆを導入するための給水配管１２に接続されている導入口１１と、前記給水加熱装置２の底部から低温の湯を吸入するための吸入口１８とが設けられている。
【００２３】
前記貯湯タンク１は、その上面に、前記貯湯タンク１内の加熱された湯を導出する導出口１３と、後述するバイパス三方弁２３が接続された吐出口１９が接続されている。前記給水配管１２は、前記貯湯タンク１の底部に給水するとともに、蛇口等の出湯口７３の出湯温度を調整する第１の混合弁１６と、前記風呂浴槽４の出湯温度を調整する第２の混合弁５０とに接続されている。循環回路２０は、貯湯タンク１の吸入口１８から吸入された低温の湯を前記給水加熱装置２で加熱した後、前記バイパス三方弁２３を介して吐出口１９から前記貯湯タンク１内に入り、湯水を循環させる。
【００２４】
前記第１の混合弁１６は、その出口側に、蛇口、シャワー、風呂等の出湯口７３への混合湯経路である出湯配管１７が接続されている。前記出湯配管１７は、出湯温度検出手段であるサーミスタ７１と、出湯量検出手段である流量カウンタ７２とが設けられている。前記サーミスタ７１は、出湯配管１７内の温度情報を、流量カウンタ７２は、出湯配管１７内の流量情報をそれぞれ制御装置３に出力するようになっている。
【００２５】
前記第２の混合弁５０は、その出口側に、風呂浴槽４への往き側配管５１と、浴槽からの戻り側配管５２が環状に接続され、前記風呂浴槽４の湯を循環するためのウォータポンプ５３と、循環湯温検出手段であるサーミスタ５４が設けられている。前記サーミスタ５４は、前記風呂浴槽４内の湯の温度情報を制御装置３に出力するようになっている。また、前記往き側配管５１と第２の混合弁５０との間には、流量カウンタ５７が設けられ、風呂浴槽４への流量情報を制御装置３に出力するようになっている。さらに、前記往き側配管５１は、湯張電磁弁５５が設けられ、前記風呂浴槽４への流量を制御装置３から制御できるようになっている。
【００２６】
前記第１の混合弁１６および第２の混合弁５０は、その開口面積比を調節することで、導出管１４からの湯とバイパス配管１５、５６から供給される給水（水道水）ｗｆとの混合比を調節できる。一般に、前記第１の混合弁１６および第２の混合弁５０は、図示されていないサーボモータ等の駆動源により、弁体を駆動して各経路の開度を調節する電動弁であり、制御装置３からの制御信号により作動する。給水配管１２は、サーミスタ２４等による給水温度検出手段が設けられている。前記給水配管１２内の温度情報は、制御装置３に出力するようになっている。前記給水配管１２は、前記第１の混合弁１６および第２の混合弁５０に接続するバイパス配管１５、５６に接続されており、給水ｗｆがこの中に選択的に流されるようになっている。
【００２７】
前記給水加熱装置２は、たとえば、ヒートポンプユニットからなり、二酸化炭素等の冷媒を圧縮加熱し、内蔵の熱交換器（図示されていない）を介し循環回路２０内の水を加熱した後、前記冷媒を膨張させることで元に戻し、循環使用する。なお、前記貯湯タンク１の最上部外壁面には、貯湯タンク出力湯温センサ（サーミスタ）３１から３６が図示のごとく設けられ、この検出温度情報もまた、制御装置３に送られる。
【００２８】
バイパス三方弁２３は、前記貯湯タンク１の上部に設けられた吐出口１９と、循環回路２０と、配管２１との間に設けられている。前記バイパス三方弁２３は、制御装置３からの制御信号により、前記吐出口１９が循環回路２０または配管２１側のどちらか一方になるように接続されている。前記バイパス三方弁２３は、前記循環回路２０側に接続されている場合、前記給水加熱装置２で加熱された湯が吐出口１９を介して前記貯湯タンク１内に供給される。前記バイパス三方弁２３は、配管２１側に接続されている場合、前記給水加熱装置２の加熱された湯が配管２１に流れるように接続し、加熱された湯が、第１の混合弁１６または第２の混合弁５０を介して、前記蛇口等の出湯口７３または前記風呂浴槽４へ供給されるようになっている。
【００２９】
前記制御装置３は、これまで述べてきた各サーミスタや流量カウンタ５７、７２からの出湯流量情報に加え、給水加熱装置２に備えられている外気温検出手段であるサーミスタ２２からの情報、また、図示されていない操作盤に設けられた操作スイッチからの情報に基づいて、給水加熱装置２、第１の混合弁１６、第２の混合弁５０、ウォータポンプ５３等を制御するように構成されている。なお、図示されていない操作盤は、一般に、浴室内や台所等、使用者が湯を使用する場所の近傍に設置され、操作盤以外は、屋外等の適所に設置されている。
【００３０】
さて、貯湯式給湯装置の図示されていない電源スイッチがオンにされている場合、前記制御装置３は、貯湯タンク１に設けられた各サーミスタからの温度情報等や、図示されていない操作盤により設定された時刻情報等に基づいて、適宜に給水加熱装置２を作動させ、貯湯タンク１内の水を加熱して高温の湯（例えば90℃の湯）まで沸かし上げる。また、前記貯湯式給湯装置における制御は、深夜電力を利用してなるべく安価に行なえるように図られている。
【００３１】
図示されていない操作盤の湯張りスイッチがオンとされた場合、前記制御装置３は、風呂浴槽４への出湯温度、給水温度、および貯湯タンク１内の湯温を基にして算出された湯と水の混合比になるように第２の混合弁５０の開口面積比を変化させる。その後、湯張り電磁弁５５は、制御装置３によって駆動され、風呂浴槽４へ湯張りが開始される。前記湯張りの開始後、前記制御装置３は、風呂浴槽４内の湯温、湯量を監視しながら、設定された温度および湯量になるまで湯張り制御を行う。
【００３２】
前記バイパス三方弁２３は、吐出口１９に接続された場合、給水加熱装置２で加熱された湯が循環回路２０を介して前記貯湯タンク１内に入るようになるとともに、前記貯湯タンク１内の最上部より、導出管１４、第１、第２の混合弁１６、５０を介して、出湯口７３または風呂浴槽４からの出湯となる。前記制御装置３は、水位サーミスタ３１、サーミスタ５４等の温度情報に基づき、ウォータポンプ５３の作動を制御する。
【００３３】
図示されていない操作盤の風呂湯張りスイッチがオンされた場合、前記制御装置３は、風呂浴槽４への出湯温度、給水温度、および貯湯タンク１内の湯温を基に算出された湯と水の混合比になるように第２の混合弁５０の開口面積比を変化させるように制御する。その後、湯張り電磁弁５５は、前記制御装置３により駆動されて、風呂浴槽４への出湯（湯張り）が開始される。前記湯張り開始後、前記風呂浴槽４内の湯温、湯量は、前記制御装置３によって監視され、設定温度および設定湯量になるまで湯張りが継続される。
【００３４】
前記制御装置３は、湯張り動作が開始された場合、前記貯湯タンク１上部の水位サーミスタ３１の温度監視、および流量カウンタ７２の出湯の有無を判定する。前記水位サーミスタ３１の比較対象は、使用者が設定した湯張り設定温度に応じて変化する温度である。前記設定温度は、設定温度で湯張りを完了するために最低限必要となる温度である。たとえば、前記設定温度は、配管放熱等を考慮した湯張り設定温度＋α℃で、４５℃である。すなわち、制御装置３は、水位サーミスタ３１が設定温度（たとえば、４５℃）＋α℃未満の場合、バイパス三方弁２３を配管２１側に固定する。前記給水加熱装置２からの加熱された湯は、たとえば、バイパス三方弁２３、配管２１、第２の混合弁５０、往き側配管５１、湯張り電磁弁５５から風呂浴槽４に入る。
【００３５】
前記水位サーミスタ３１が設定温度＋α℃以上の場合、貯湯タンク１には、湯張り動作の湯として、十分な温度の湯が貯えられていることになる。そこで、前記制御装置３は、バイパス三方弁２３を吐出口１９側に固定する。前記給水加熱装置２は、貯湯タンク１内に加熱された湯を供給する。前記貯湯タンク１内の湯は、導出口１３、導出管１４、第２の混合弁５０、往き側配管５１を介して風呂浴槽４に入る。前記制御装置３は、湯張り動作開始中に、水位サーミスタ３１が４５℃＋α℃以上で、バイパス三方弁２３が吐出口１９側に固定されている動作途中に、前記水位サーミスタ３１が設定温度未満になった場合、前記バイパス三方弁２３を配管２１側に切替え、前記給水加熱装置２により加熱された湯を湯張り動作の湯として使用するように制御することができる。
【００３６】
その後、制御装置３は、前記水位サーミスタ３１の検出温度が４５℃＋α℃以上になった場合、再度、前記バイパス三方弁２３を吐出口１９側に切り替え、前記貯湯タンク１内の湯を加熱するとともに、前記貯湯タンク１内の最上部の湯が湯張り動作の湯となる。また、前記制御装置３は、貯湯タンク１内の蓄熱量と湯張り動作あるいは給湯動作以外の運転に要する熱量を常時算出し、その熱量差によって前記バイパス三方弁２３の固定位置の切り替えを制御する。
【００３７】
図２は本発明の一実施例を説明するためのフローチャートである。図２において、前記制御装置３は、前記給水加熱装置２の駆動を開始するように制御する（ステップ２１１）。前記制御装置３は、蛇口等の出湯口７３からの出湯、または風呂浴槽４への出湯動作があるか否かを調べる（ステップ２１２）。次に、前記制御装置３は、前記貯湯タンク１内の湯の温度が設定温度以上であるか否かを調べる（ステップ２１３）。
【００３８】
前記制御装置３は、貯湯タンク１内の湯の温度が設定温度以上であると判断した場合、前記貯湯タンク１内の湯を蛇口等の出湯口７３への出湯、または風呂浴槽４への出湯とするように制御する（ステップ２１４）。前記制御装置３は、前記貯湯タンク１内の湯の温度が設定温度以上に達していないと判断した場合、出湯動作があるか否かを調べる（ステップ２１５）。前記制御装置３は、前記ステップ２１５において、出湯動作があると判断した場合、前記バイパス三方弁２３を配管２１側に固定するように制御する（ステップ２１６）。
【００３９】
前記制御装置３は、給水加熱装置２からの加熱された湯を、前記バイパス三方弁２３、配管２１を介して、出湯口７３または風呂浴槽４へ出湯するように制御する（ステップ２１７）。前記ステップ２１２において、前記制御装置３は、出湯動作がないと判断した場合、前記バイパス三方弁２３を吐出口１９側に固定し、加熱された湯を給水加熱装置２から前記貯湯タンク１内に供給するように制御する（ステップ２１８）。前記ステップ２１５において、前記制御装置３は、出湯がないと判断した場合、前記バイパス三方弁２３を吐出口１９側に固定し、前記給水加熱装置２から加熱された湯を前記貯湯タンク１内に供給するように制御する（ステップ２１９）。
【００４０】
図３は本発明の一実施例を時系列的に表したものである。図３（イ）において、前記給水加熱装置２は、停止状態から稼働が開始される。前記制御装置３は、湯張り動作を開始する。貯湯タンク１内の温度または熱量は、前記給水加熱装置２が停止していた間に、熱量が徐々に低下して設定温度より低下し、給水加熱装置２の稼働により、貯湯タンク１内の温度または熱量をほぼ一定に維持する。この時点で、出湯動作があった場合、前記制御装置３は、バイパス三方弁２３を吐出口１９側から配管２１側に制御して、前記給水加熱装置２から直接加熱された湯を出湯とする。
【００４１】
図３（ロ）において、湯張り動作が終了した場合、前記制御装置３は、前記バイパス三方弁２３を吐出口１９側になるように制御し、前記給水加熱装置２からの加熱された湯が前記貯湯タンク１内に入り、前記貯湯タンク１内の湯の温度および熱量が上昇する。また、図３（ハ）において、湯張り動作が開始した場合、前記制御装置３は、前記貯湯タンク１内の湯の温度が設定温度以上であるため、前記貯湯タンク１内の湯が出湯となる。
【００４２】
図３（ニ）において、前記貯湯タンク１内の湯の温度が設定温度以下になったため、前記制御装置３は、前記バイパス三方弁２３を配管２１側に制御して、前記給水加熱装置２で加熱された湯を直接出湯として使用する。図３（ホ）において、前記制御装置３は、湯張り動作が停止すると、前記貯湯タンク１内の湯の温度が上昇を始めるとともに、前記バイパス三方弁２３が配管２１側から吐出口１９側になる。
【００４３】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、貯湯タンク、給水加熱装置、制御装置、サーミスタ等の温度検出部材、弁類、配管類は、公知または周知のものを使用することができる。
【図面の簡単な説明】
【００４４】
【図１】本発明の実施例である貯湯式給湯装置を説明するための概略構成図である。（実施例）
【図２】本発明の一実施例を説明するためのフローチャートである。
【図３】本発明の一実施例を時系列的に表したものである。
【符号の説明】
【００４５】
１・・・貯湯タンク
２・・・給水加熱装置（ヒートポンプユニット）
３・・・制御装置
４・・・風呂浴槽
１１・・・導入口
１２・・・給水配管
１３・・・導出口
１４・・・導出管
１５、５６・・・バイパス配管
１６・・・第１の混合弁
１７・・・出湯配管
１８・・・吸入口
１９・・・吐出口
２０・・・循環回路
２１・・・配管
２２・・・サーミスタ
２３・・・バイパス三方弁
２４、３１〜３６、５４、７１・・・サーミスタ
５０・・・第２の混合弁
５１・・・往き側配管
５２・・・戻り側配管
５３・・・ウォータポンプ
５５・・・湯張り電磁弁
５７、７２・・・流量カウンタ
７３・・・出湯口
【図１】
2008008563.tif 000003
【図２】
2008008563.tif 000004
【図３】
2008008563.tif 000005